(57)【要約】【課題】位置に基づいた多様な機能設定のためのサービス提供方法およびファイル配布システムが開示される。【解決手段】サービス提供方法は、ユーザの移動通信端末機に対する位置別ユーザ設定を確認する段階、前記位置別ユーザ設定と関連する位置を確認する段階、前記位置別ユーザ設定と前記確認された位置を互いに関連付けて登録する段階、前記移動通信端末機の位置をモニタリングする段階、および前記モニタリングされた位置が前記登録された位置である場合、前記モニタリングされた位置と関連して格納された位置別ユーザ設定に前記移動通信端末機の設定を変更する段階を含んでもよい。【選択図】図３
2015156638.tif 000002
【特許請求の範囲】
【請求項１】
ユーザの移動通信端末機に対する位置別ユーザ設定を確認し、
前記位置別ユーザ設定と関連する位置を確認し、
前記位置別ユーザ設定と前記確認された位置を互いに関連付けて登録し、
前記移動通信端末機の位置をモニタリングし、
前記モニタリングされた位置が前記登録された位置である場合、前記モニタリングされた位置と関連して登録された前記位置別ユーザ設定に前記移動通信端末機の設定を変更する
ことを含む、サービス提供方法。
【請求項２】
前記位置別ユーザ設定と関連する位置を確認することは、
前記位置別ユーザ設定と関連した位置において、前記移動通信端末機が通信中である移動通信基地局のセル識別子（ｃｅｌｌ−ｉｄｅｎｔｉｆｉｅｒ）および前記移動通信端末機が通信可能な無線アクセスポイント（ｗｉｒｅｌｅｓｓ  ａｃｃｅｓｓ  ｐｏｉｎｔ）の識別子のうち少なくとも１つを確認することを特徴とする、請求項１に記載のサービス提供方法。
【請求項３】
前記モニタリングすることは、
前記移動通信端末機の現在位置におけるセル識別子が登録されたセル識別子であるかを確認すること、および
前記現在位置におけるセル識別子が前記登録されたセル識別子である場合、前記移動通信端末機が現在位置で通信可能な無線アクセスポイントの識別子を確認し、前記確認された識別子が登録された識別子であるかを確認すること
を含むことを特徴とする、請求項２に記載のサービス提供方法。
【請求項４】
前記モニタリングすることは、
前記現在位置で通信可能な無線アクセスポイントの識別子が登録されていない識別子である場合、予め設定された時間後に再び通信可能な無線アクセスポイントの識別子を確認し、前記登録された識別子であるかを確認すること
をさらに含むことを特徴とする、請求項３に記載のサービス提供方法。
【請求項５】
前記無線アクセスポイントの識別子は、前記移動通信端末機のワイファイ（ＷｉＦｉ）モジュールによって通信するアクセスポイントのマック（ＭＡＣ）アドレスを含み、
前記現在位置におけるセル識別子が前記登録されたセル識別子である場合、前記移動通信端末機が現在位置で通信可能な無線アクセスポイントの識別子を確認し、前記確認された識別子が登録された識別子であるかを確認することは、
前記ワイファイモジュールをオン（ｏｎ）にして前記移動通信端末機が現在位置で通信可能なアクセスポイントのマックアドレスを受信すること、および
前記受信されたマックアドレスが登録されたマックアドレスであるかを確認すること
を含むことを特徴とする、請求項３に記載のサービス提供方法。
【請求項６】
前記移動通信端末機にインストールされたアプリケーションの制御にしたがって実行されることを特徴とする、請求項１〜５のうちいずれか一項に記載のサービス提供方法。
【請求項７】
ユーザの移動通信端末機に対する位置別ユーザ設定を確認し、
前記位置別ユーザ設定の確認と関連する第１位置において、前記移動通信端末機が通信中である移動通信基地局のセル識別子（ｃｅｌｌ−ｉｄｅｎｔｉｆｉｅｒ）および前記移動通信端末機が通信可能な無線アクセスポイント（ｗｉｒｅｌｅｓｓ  ａｃｃｅｓｓ  ｐｏｉｎｔ）の識別子を確認し、
前記位置別ユーザ設定を、前記第１位置で確認された前記セル識別子および前記第１位置で確認された前記識別子と関連付けて登録し、
前記移動通信端末機が通信する移動通信基地局のセル識別子をモニタリングして前記登録されたセル識別子が確認された場合、前記モニタリングと関連する第２位置で通信可能な無線アクセスポイントの識別子を確認し、
前記第２位置で確認された識別子が前記第１位置で確認された識別子と等しい場合、前記位置別ユーザ設定を前記移動通信端末機に適用すること
を含む、サービス提供方法。
【請求項８】
前記登録されたセル識別子が確認され、前記第２位置で確認された識別子が前記第１位置で確認された識別子とは異なるか、前記第２位置で識別子が確認されない場合、予め設定された時間後の第３位置で通信可能な無線アクセスポイントの識別子をさらに確認すること
をさらに含み、
前記位置別ユーザ設定を前記移動通信端末機に適用することは、
前記第３位置で通信可能な無線アクセスポイントの識別子が前記第１位置で確認された識別子と等しい場合、前記位置別ユーザ設定を前記移動通信端末機に適用することを特徴とする、請求項７に記載のサービス提供方法。
【請求項９】
請求項１〜８のうちいずれか一項の方法を実行するためのプログラムが記録されていることを特徴とする、コンピュータで読み取り可能な記録媒体。
【請求項１０】
ユーザの移動通信端末機にアプリケーションをインストールするためのインストールファイルを配布するファイル配布システムであって、
前記インストールファイルを格納および管理するインストールファイル管理部と、
前記移動通信端末機の要請にしたがって前記インストールファイルを前記移動通信端末機に送信するインストールファイル送信部
を備え、
前記アプリケーションは、
ユーザの移動通信端末機に対する位置別ユーザ設定を確認するように前記移動通信端末機を制御し、
前記位置別ユーザ設定と関連する位置を確認するように前記移動通信端末機を制御し、
前記位置別ユーザ設定と前記確認された位置を互いに関連付けて登録するように前記移動通信端末機を制御し、
前記移動通信端末機の位置をモニタリングするように前記移動通信端末機を制御し、
前記モニタリングされた位置が前記登録された位置である場合、前記モニタリングされた位置と関連して登録された位置別ユーザ設定に前記移動通信端末機の設定を変更するように前記移動通信端末機を制御する
ことを特徴とする、ファイル配布システム。
【請求項１１】
前記アプリケーションは、
前記位置別ユーザ設定と関連する位置を確認するように前記移動通信端末機を制御するために、
前記位置別ユーザ設定と関連する位置において、前記移動通信端末機が通信中である移動通信基地局のセル識別子（ｃｅｌｌ−ｉｄｅｎｔｉｆｉｅｒ）および前記移動通信端末機が通信可能な無線アクセスポイント（ｗｉｒｅｌｅｓｓ  ａｃｃｅｓｓ  ｐｏｉｎｔ）の識別子を確認することを特徴とする、請求項１０に記載のファイル配布システム。
【請求項１２】
ユーザの移動通信端末機にアプリケーションをインストールするためのインストールファイルを配布するファイル配布システムであって、
前記インストールファイルを格納および管理するインストールファイル管理部と、
前記移動通信端末機の要請にしたがって前記インストールファイルを前記移動通信端末機に送信するインストールファイル送信部
を備え、
前記アプリケーションは、
前記ユーザの移動通信端末機に対する位置別ユーザ設定を確認するように前記移動通信端末機を制御し、
前記位置別ユーザ設定の確認と関連する第１位置において、前記移動通信端末機が通信中である移動通信基地局のセル識別子（ｃｅｌｌ−ｉｄｅｎｔｉｆｉｅｒ）および前記移動通信端末機が通信可能な無線アクセスポイント（ｗｉｒｅｌｅｓｓ  ａｃｃｅｓｓ  ｐｏｉｎｔ）の識別子を確認するように前記移動通信端末機を制御し、
前記位置別ユーザ設定を、前記第１位置で確認された前記セル識別子および前記第１位置で確認された前記識別子と関連付けて登録するように前記移動通信端末機を制御し、
前記移動通信端末機が通信する移動通信基地局のセル識別子をモニタリングして前記登録されたセル識別子が確認された場合、前記モニタリングと関連する第２位置で通信可能な無線アクセスポイントの識別子を確認するように前記移動通信端末機を制御し、
前記第２位置で確認された識別子が前記第１位置で確認された識別子と等しい場合、前記位置別ユーザ設定を前記移動通信端末機に適用するように前記移動通信端末機を制御する
ことを特徴とする、ファイル配布システム。
【請求項１３】
前記アプリケーションは、
前記登録されたセル識別子が確認され、前記第２位置で確認された識別子が前記第１位置で確認された識別子とは異なるか、前記第２位置で識別子が確認されない場合、予め設定された時間後の第３位置で通信可能な無線アクセスポイントの識別子をさらに確認するように前記移動通信端末機を制御し、
前記第３位置で通信可能な無線アクセスポイントの識別子が前記第１位置で確認された識別子と等しい場合、前記位置別ユーザ設定を前記移動通信端末機に適用するように前記移動通信端末機を制御する
ことを特徴とする、請求項１２に記載のファイル配布システム。
【請求項１４】
請求項１乃至８のうちいずれか一項の方法をコンピュータに実行させるためのプログラム。
【発明の詳細な説明】
【技術分野】
【０００１】
本発明は、位置に基づいた多様な機能設定のためのサービス提供方法およびファイル配布システムに関する。
【背景技術】
【０００２】
スマートフォンのような移動通信端末機は、携帯電話にインターネット通信や情報検索などのようなコンピュータサポート機能を追加した知能型端末機であって、ユーザが好きなアプリケーションをインストールできることが特徴である。このような移動通信端末機は、ユーザが好きなアプリケーションをインストールし、インストールしたアプリケーションにしたがって多様な機能を活用することができる。
【０００３】
一方、移動通信端末機は、多様な機能を活用することができるだけに多様な設定が存在する。例えば、ユーザが会社に出勤してワイファイ（ＷｉＦｉ（登録商標））モジュールをオン（Ｏｎ）状態に切り換え、移動通信端末機のモードをマナーモードに変更し、音楽アプリケーションを実行させ、アプリケーション別のアラーム音を下げるなど、移動通信端末機の多様な設定を変更することができる。
【０００４】
このようにユーザは、ユーザの位置ごとに移動通信端末機の多様な設定を変更する必要がある。しかし、ユーザが毎回このようなすべての設定を直接変更することは、極めて面倒で複雑な作業であるという問題がある。
【発明の概要】
【発明が解決しようとする課題】
【０００５】
現在位置（一例として、自宅、学校、会社など）に応じて予め登録された設定に自動で移動通信端末機の設定を変更することができるサービス提供方法、およびこのようなサービス提供方法を実行するように移動通信端末機を制御するアプリケーションのインストールファイルを配布するファイル配布システムを提供する。
【課題を解決するための手段】
【０００６】
ユーザの移動通信端末機に対する位置別ユーザ設定を確認し、前記位置別ユーザ設定と関連する位置を確認し、前記位置別ユーザ設定と前記確認された位置を互いに関連付けて登録し、前記移動通信端末機の位置をモニタリングし、前記モニタリングされた位置が前記登録された位置である場合、前記モニタリングされた位置と関連して格納された位置別ユーザ設定に前記移動通信端末機の設定を変更することを含む、サービス提供方法が提供される。
【０００７】
一実施形態によると、前記位置別ユーザ設定と関連する位置を確認することは、前記位置別ユーザ設定と関連する位置において、前記移動通信端末機が通信中である移動通信基地局のセル識別子（ｃｅｌｌ−ｉｄｅｎｔｉｆｉｅｒ）および前記移動通信端末機が通信可能な無線アクセスポイント（ｗｉｒｅｌｅｓｓ  ａｃｃｅｓｓ  ｐｏｉｎｔ）の識別子のうち少なくとも１つを確認することを特徴としてもよい。
【０００８】
他の一実施形態によると、前記モニタリングすることは、前記移動通信端末機の現在位置におけるセル識別子が前記登録されたセル識別子であるかを確認すること、および前記現在位置におけるセル識別子が前記登録されたセル識別子である場合、前記移動通信端末機が現在位置で通信可能な無線アクセスポイントの識別子を確認し、前記確認された識別子が登録された識別子であるかを確認することを含むことを特徴としてもよい。
【０００９】
さらに他の一実施形態によると、前記モニタリングすることは、前記現在位置で通信可能な無線アクセスポイントの識別子が登録されていない識別子である場合、予め設定された時間後に再び通信可能な無線アクセスポイントの識別子を確認し、前記登録された識別子であるかを確認することをさらに含むことを特徴としてもよい。
【００１０】
さらに他の一実施形態によると、前記無線アクセスポイントの識別子は、前記移動通信端末機のワイファイ（ＷｉＦｉ）モジュールによって通信するアクセスポイントのマック（ＭＡＣ）アドレスを含み、前記現在位置におけるセル識別子が前記登録されたセル識別子である場合、前記移動通信端末機が現在位置で通信可能な無線アクセスポイントの識別子を確認し、前記確認された識別子が登録された識別子であるかを確認することは、前記ワイファイモジュールをオン（ｏｎ）にして前記移動通信端末機が現在位置で通信可能なアクセスポイントのマックアドレスを受信し、および前記受信したマックアドレスが登録されたマックアドレスであるかを確認することを含むことを特徴としてもよい。
【００１１】
さらに他の一実施形態によると、前記サービス提供方法は、前記移動通信端末機にインストールされたアプリケーションの制御にしたがって実行されることを特徴としてもよい。
【００１２】
ユーザの移動通信端末機に対する位置別ユーザ設定を確認し、前記位置別ユーザ設定の確認と関連する第１位置において、前記移動通信端末機が通信中である移動通信基地局のセル識別子（ｃｅｌｌ−ｉｄｅｎｔｉｆｉｅｒ）および前記移動通信端末機が通信可能な無線アクセスポイント（ｗｉｒｅｌｅｓｓ  ａｃｃｅｓｓ  ｐｏｉｎｔ）の識別子を確認し、前記位置別ユーザ設定を前記第１位置で確認された前記セル識別子および前記第１位置で確認された前記識別子と関連付けて登録し、前記移動通信端末機が通信する移動通信基地局のセル識別子をモニタリングして前記登録されたセル識別子が確認された場合、前記モニタリングと関連する第２位置で通信可能な無線アクセスポイントの識別子を確認し、前記第２位置で確認された識別子が前記第１位置で確認された識別子と等しい場合、前記位置別ユーザ設定を前記移動通信端末機に適用することを含む、サービス提供方法が提供される。
【００１３】
ユーザの移動通信端末機にアプリケーションをインストールするためのインストールファイルを配布するファイル配布システムであって、前記インストールファイルを格納および管理するインストールファイル管理部と、前記移動通信端末機の要請にしたがって前記インストールファイルを前記移動通信端末機に送信するインストールファイル送信部を備え、前記アプリケーションは、ユーザの移動通信端末機に対する位置別ユーザ設定を確認するように前記移動通信端末機を制御し、前記位置別ユーザ設定と関連する位置を確認するように前記移動通信端末機を制御し、前記位置別ユーザ設定と前記確認された位置を互いに関連付けて登録するように前記移動通信端末機を制御し、前記移動通信端末機の位置をモニタリングするように前記移動通信端末機を制御し、前記モニタリングされた位置が前記登録された位置である場合、前記モニタリングされた位置と関連して登録された位置別ユーザ設定に前記移動通信端末機の設定を変更するように前記移動通信端末機を制御することを特徴とする、ファイル配布システムが提供される。
【００１４】
ユーザの移動通信端末機にアプリケーションをインストールするためのインストールファイルを配布するファイル配布システムであって、前記インストールファイルを格納および管理するインストールファイル管理部と、前記移動通信端末機の要請にしたがって前記インストールファイルを前記移動通信端末機に送信するインストールファイル送信部を備え、前記アプリケーションは、ユーザの移動通信端末機に対する位置別ユーザ設定を確認するように前記移動通信端末機を制御し、前記位置別ユーザ設定の確認と関連する第１位置において、前記移動通信端末機が通信中である移動通信基地局のセル識別子（ｃｅｌｌ−ｉｄｅｎｔｉｆｉｅｒ）および前記移動通信端末機が通信可能な無線アクセスポイント（ｗｉｒｅｌｅｓｓ  ａｃｃｅｓｓ  ｐｏｉｎｔ）の識別子を確認するように前記移動通信端末機を制御し、前記位置別ユーザ設定を前記第１位置で確認された前記セル識別子および前記第１位置で確認された前記識別子と関連付けて登録するように前記移動通信端末機を制御し、前記移動通信端末機が通信する移動通信基地局のセル識別子をモニタリングして前記登録されたセル識別子が確認された場合、前記モニタリングと関連する第２位置で通信可能な無線アクセスポイントの識別子を確認するように前記移動通信端末機を制御し、前記第２位置で確認された識別子が前記第１位置で確認された識別子と等しい場合、前記位置別ユーザ設定を前記移動通信端末機に適用するように前記移動通信端末機を制御することを特徴とする、ファイル配布システムが提供される。
【発明の効果】
【００１５】
現在位置（一例として、自宅、学校、会社など）に応じて予め登録された設定に自動で移動通信端末機の設定を変更することができる。
【図面の簡単な説明】
【００１６】
【図１】本発明の一実施形態において、サービス提供方法の実行環境を例示した図である。
【図２】本発明の一実施形態において、サービス提供方法の例を示したフローチャートである。
【図３】本発明の一実施形態において、ユーザの移動経路を例示した図である。
【図４】本発明の一実施形態において、サービス提供方法の他の例を示したフローチャートである。
【図５】本発明の一実施形態において、コンピュータシステムの内部構成の一例を説明するためのブロック図である。
【発明を実施するための形態】
【００１７】
以下、本発明の実施形態について、添付の図面を参照しながら詳細に説明する。
【００１８】
図１は、本発明の一実施形態において、サービス提供方法の実行環境を例示した図である。図１は、ユーザの移動通信端末機１１０、ファイル配布システム１２０、およびインストールファイル１３０を示している。
【００１９】
移動通信端末機１１０は、スマートフォンのように移動通信とデータ通信がすべて可能なユーザの携帯機器であってもよく、ファイル配布システム１２０は、インストールファイル１３０を提供するサーバであってもよい。例えば、ファイル配布システム１２０は、インストールファイル１３０を格納および管理するインストールファイル管理部１２１、および移動通信端末機１１０の要請にしたがってインストールファイル１３０を移動通信端末機１１０に送信するインストールファイル送信部１２２を備えてもよい。
【００２０】
移動通信端末機１１０は、ファイル配布システム１２０から受信したインストールファイル１３０を利用してアプリケーションをインストール（ｉｎｓｔａｌｌａｔｉｏｎ）してもよく、インストールしたアプリケーションによって本発明の実施形態に係るサービス提供方法を実行してもよい。
【００２１】
図２は、本発明の一実施形態において、サービス提供方法の例を示したフローチャートである。本実施形態に係るサービス提供方法は、図１を参照しながら説明した移動通信端末機１１０によって実行されてもよい。
【００２２】
段階２１０で、移動通信端末機１１０は、ユーザの移動通信端末機１１０に対する位置別ユーザ設定を確認してもよい。位置別ユーザ設定は、ユーザが移動通信端末機１１０によって制御が可能なすべての機能に対する設定のうち少なくとも１つを含んでもよい。
【００２３】
例えば、移動通信端末機１１０にインストールされたアプリケーションは、位置別ユーザ設定をユーザが入力または選択することができるユーザインタフェースをユーザに提供するように移動通信端末機１１０を制御してもよい。この場合、ユーザは、提供されたユーザインタフェースを利用して位置別ユーザ設定を入力してもよい。一例として、ユーザは、会社では移動通信端末機１１０がマナーモードに変更されるように機能を設定してもよい。
【００２４】
段階２２０で、移動通信端末機１１０は、位置別ユーザ設定と関連する位置を確認してもよい。この過程は、ユーザが会社として設定しようとする場所の位置がどこであるかを移動通信端末機１１０が認識できるようにするための過程であってもよい。例えば、ユーザは、ユーザが会社に位置している状態で、上述したユーザインタフェースが移動通信端末機１１０の画面に表示する位置確認ボタンを選択することにより、現在位置が会社であることを移動通信端末機１１０が認識できるようにするための過程を行うように指示してもよい。このような位置確認過程については、後述でより詳しく説明する。
【００２５】
段階２３０で、移動通信端末機１１０は、位置別ユーザ設定と確認された位置とを互いに関連付けてデータベースに登録してもよい。この場合、移動通信端末機１１０は、データベースの情報に基づき、当該位置でどのような位置別ユーザ設定が適用されなければならないかを確認できるようになる。ここで、データベースは、移動通信端末機１１０に備えられてもよく、必要によっては、移動通信端末機１１０にインストールされたアプリケーションと関連するサーバに、または２つすべてに備えられてもよい。例えば、サーバにデータベースが備えられている場合、ユーザは、移動通信端末機１１０を紛失したり交換したりしたときでも、登録した位置別ユーザ設定を再設定することなく継続して利用することができる。
【００２６】
段階２４０で、移動通信端末機１１０は、移動通信端末機１１０の位置をモニタリングしてもよい。上述したように、移動通信端末機１１０は、移動通信端末機１１０がデータベースに登録された位置と関連する場所に存在するとき、登録された位置と関連して登録された位置別ユーザ設定に移動通信端末機１１０の設定を変更する必要がある。したがって、移動通信端末機１１０は、常に（または、予め設定された時間間隔ごとに）移動通信端末機１１０の位置をモニタリングする必要がある。
【００２７】
段階２５０で、移動通信端末機１１０は、モニタリングされた位置がデータベースに登録されている場合、モニタリングされた位置と関連して格納されている位置別ユーザ設定に移動通信端末機１１０の設定を変更してもよい。
【００２８】
以後では、移動通信端末機１１０が位置を確認およびモニタリングする方法について説明する。移動通信端末機１１０の位置を確認するための技術は、一般的に次の（１）〜（３）のような３種類の技術のうち１つを利用する。
【００２９】
（１）移動通信基地局のセル識別子（ｃｅｌｌ−ｉｄｅｎｔｉｆｉｅｒ）を利用する技術−それぞれの移動通信基地局は、移動通信基地局がカバーする地域に対して固有のセル識別子値を有する。したがって、移動通信端末機１１０が受信した移動通信基地局のセル識別子を活用すると、少なくとも移動通信端末機１１０が該当のセル識別子に対応する地域に含まれていることを確認することができ、移動通信端末機１１０の大体の位置（数ｍ〜数ｋｍの誤差がある）を把握することができるようになる。都心の場合には、フェムトセルやマイクロセルなどの小さな基地局が多いため、移動通信端末機１１０のさらに正確な位置（数ｍ範囲の誤差がある）を把握することができる。
【００３０】
（２）ワイファイ情報を利用する技術−ワイファイアクセスポイントはそれぞれ固有のマック（ＭＡＣ）アドレスを有しており、移動通信端末機１１０が通信可能なワイファイアクセスポイントのマック（ＭＡＣ）アドレスを活用すると、数ｍ以内の誤差距離で特定位置を把握することができる。
【００３１】
（３）ＧＰＳ（Ｇｌｏｂａｌ  Ｐｏｓｉｔｉｏｎｉｎｇ  Ｓｙｓｔｅｍ）を利用する技術−このようなＧＰＳは、室外で移動通信端末機１１０の特定位置を数ｍ以内の誤差距離で把握することができる。
【００３２】
ＧＰＳやワイファイ情報を利用する技術は、セル識別子（ｃｅｌｌ−ｉｄｅｎｔｉｆｉｅｒ）を利用する技術よりも正確な位置を確認できるという長所があるものの、バッテリの消耗量が大きいという短所がある。さらに、ワイファイ情報を利用する技術は、ワイファイアクセスポイントが存在する場所でしか位置の確認ができないという短所がある。
【００３３】
したがって、３種類の技術のうち少なくとも１つが本発明の実施形態に係る位置確認技術に利用されてもよいが、本発明の一実施形態では、移動通信端末機１１０の正確な位置を確認しながらもバッテリ消耗量を最小化させるために、セル識別子を利用する技術とワイファイ情報を利用する技術を融合して利用してもよい。
【００３４】
このとき、移動通信端末機１１０は、段階２１０で、位置別ユーザ設定と関連する位置において、移動通信端末機１１０が通信中である移動通信基地局のセル識別子および移動通信端末機１１０が通信可能な無線アクセスポイント（ｗｉｒｅｌｅｓｓ  ａｃｃｅｓｓ  ｐｏｉｎｔ）の識別子を確認してもよい。例えば、データベースには、位置別ユーザ設定と、確認されたセル識別子および無線アクセスポイントの識別子とを互いに関連付けて格納してもよい。
【００３５】
この場合、移動通信端末機１１０は、段階２４０で、移動通信端末機１１０の位置をモニタリングするために、以下に説明する第１段階（図示せず）および第２段階（図示せず）を実行してもよい。例えば、段階２４０に上述した第１段階および第２段階が含まれてもよい。
【００３６】
第１段階で、移動通信端末機１１０は、移動通信端末機１１０の現在位置におけるセル識別子がデータベースに登録されているかを確認してもよい。移動通信端末機１１０は、基本的には付加的にバッテリを消耗させることなく、現在通信している移動通信基地局のセル識別子を確認することができる。したがって、このように確認されたセル識別子がデータベースに登録されていると、移動通信端末機１１０は、ユーザが設定した位置に存在する可能性が極めて高い。したがって、移動通信端末機１１０は、別途バッテリを消耗させることなく移動通信端末機１１０の位置をモニタリングするために、基本的に通信している移動通信基地局のセル識別子がデータベースに登録されているかを持続的に（常にまたは予め設定された時間間隔ごとに）確認できるようになる。
【００３７】
第２段階で、移動通信端末機１１０は、現在位置におけるセル識別子がデータベースに登録されている場合、移動通信端末機１１０が現在位置で通信可能な無線アクセスポイントの識別子を確認し、データベースに登録されているかを確認してもよい。上述したように、ワイファイアクセスポイントのような無線アクセスポイントとの通信は、バッテリの消耗量が相対的に極めて大きいため、常にワイファイ情報を利用する技術によって移動通信端末機１１０の位置を確認することは極めて非効率的である。したがって、本実施形態では、セル識別子を利用して移動通信端末機１１０の大体の位置を先に把握し、移動通信端末機１１０がユーザによって設定された位置に存在する可能性が極めて高い場合にはワイファイモジュールをオン状態に変更し、ワイファイ情報を利用してさらに正確な位置を測定することにより、バッテリの消耗量を減らしながらも移動通信端末機１１０の正確な位置（移動通信端末機１１０の設定を変更する必要があるか否かを判断できる程度に正確な位置）が得られるようになる。正確な位置が得られると、移動通信端末機１１０は、再びワイファイモジュールをオフ状態に変更することによってバッテリの消耗量を減らすことができる。
【００３８】
一方、現在位置におけるセル識別子がデータベースに登録されていたとしても、セル識別子と関連して登録された無線アクセスポイントの識別子が確認されないこともある。これは、上述したように、セル識別子を利用した位置確認技術の誤差範囲が無線アクセスポイントの識別子を利用した位置確認技術の誤差範囲よりも極めて大きいためである。このような場合に備え、本発明の他の実施形態では、段階２４０に以下に説明する第３段階（図示せず）がさらに含まれてもよい。
【００３９】
第３段階で、移動通信端末機１１０は、現在位置で通信可能な無線アクセスポイントの識別子が前記データベースに登録されていない場合、予め設定された時間後に再び通信可能な無線アクセスポイントの識別子を確認し、データベースに登録されているかを確認してもよい。例えば、ユーザが移動中である場合、登録されたセル識別子に対応するセル地域には進入したが、無線アクセスポイントが設置された目的地にはまだ到着していない状態となることがある。したがって、移動通信端末機１１０は、予め設定された時間後に再びワイファイモジュールをオン状態に変換して通信可能な無線アクセスポイントの識別子（ワイファイアクセスポイントのマックアドレス）を確認し、登録されているか否かを確認してもよい。
【００４０】
図３は、本発明の一実施形態において、ユーザの移動経路を例示した図である。図３の地図３００において、実線の円３１０はユーザの自宅の位置を示しており、折れ曲がった矢印３２０はユーザの移動経路を示している。また、点線の楕円３３０は、ユーザの自宅をカバーする移動通信基地局のセル識別子に対応する領域を示している。このとき、ユーザは自宅に対する位置別ユーザ設定を入力し、点線の楕円３３０の領域に対応するセル識別子とユーザの自宅に設置されたワイファイアクセスポイントの識別子が位置別ユーザ設定と関連してデータベースに格納されていると仮定する。
【００４１】
ユーザが移動経路に沿って移動している途中に第１Ｘ（３４０）の位置に到着すると、ユーザの移動通信端末機１１０は、移動通信基地局のセル識別子に対応する領域に進入するようになる。したがって、該当のセル識別子がデータベースに登録されているため、移動通信端末機１１０はワイファイモジュールをオン状態に変更して通信可能なアクセスポイントを検索し、検索されたアクセスポイントの識別子がデータベースに登録されているかを確認してもよい。しかし、第１Ｘ（３４０）の位置では登録された識別子が確認されなかったため、移動通信端末機１１０は、ワイファイモジュールをすぐにまたは一定時間後にオフ状態に変更してもよい。
【００４２】
ユーザが第２Ｘ（３５０）の位置のようにセル識別子が登録されていない場所に移動した場合、移動通信端末機１１０は位置別ユーザ設定を変更する動作を別途行わない。実施形態によっては、移動通信端末機１１０が点線の楕円３３０を逸脱した場合には、移動通信端末機１１０がワイファイモジュールをオフ状態に変更してもよい。
【００４３】
ユーザが第３Ｘ（３６０）の位置のように再びセル識別子が登録された場所では、再びワイファイモジュールをオン状態に変更し、アクセスポイントの識別子がデータベースに登録されているかを確認してもよい。しかし、第３Ｘ（３６０）の位置でも登録された識別子が確認されなかったため、移動通信端末機１１０はワイファイモジュールをオフ状態に変更してもよい。このとき、移動通信端末機１１０は、予め設定された時間が経過した後に再びワイファイモジュールをオン状態に変更し、再び通信可能なアクセスポイントを検索してもよく、検索されたアクセスポイントの識別子がデータベースに登録されているかを確認してもよい。予め設定された時間内にユーザが自宅に到着すると、移動通信端末機１１０は、データベースに登録された無線アクセスポイントの識別子を確認することができるため、ユーザが自宅に到着したことを確認することができ、登録された位置別ユーザ設定に移動通信端末機１１０の設定を変更できるようになる。予め設定された時間内にユーザが自宅に到着することができなければ、移動通信端末機１１０は登録された識別子を検索することができないため、まだ自宅ではないことを確認するようになる。しかし、ユーザは、予め設定された時間以後に自宅に到着することもある。したがって、このような過程を認識するために、移動通信端末機１１０は、登録されたセル識別子に対応する領域では、予め設定された時間ごとに登録された識別子が存在するかを繰り返し、ワイファイモジュールをオン状態に変更して無線アクセスポイントを検索してもよい。
【００４４】
図４は、本発明の一実施形態において、サービス提供方法の他の例を示したフローチャートである。本実施形態に係るサービス提供方法は、移動通信端末機１１０によって実行されてもよい。
【００４５】
段階４１０で、移動通信端末機１１０は、ユーザの移動通信端末機１１０に対する位置別ユーザ設定を確認してもよい。
【００４６】
段階４２０で、移動通信端末機１１０は、位置別ユーザ設定の確認と関連する第１位置において、移動通信端末機１１０が通信中である移動通信基地局のセル識別子（ｃｅｌｌ−ｉｄｅｎｔｉｆｉｅｒ）および移動通信端末機１１０が通信可能な無線アクセスポイント（ｗｉｒｅｌｅｓｓ  ａｃｃｅｓｓ  ｐｏｉｎｔ）の識別子を確認してもよい。
【００４７】
段階４３０で、移動通信端末機１１０は、位置別ユーザ設定を第１位置で確認されたセル識別子および第１位置で確認された識別子と関連付けてデータベースに登録してもよい。
【００４８】
段階４４０で、移動通信端末機１１０は、移動通信端末機１１０が通信する移動通信基地局のセル識別子をモニタリングし、データベースに登録されたセル識別子が確認された場合、モニタリングと関連する第２位置で通信可能な無線アクセスポイントの識別子を確認してもよい。
【００４９】
段階４５０で、移動通信端末機１１０は、第２位置で確認された識別子が第１位置で確認された識別子と等しい場合、前記位置別ユーザ設定を移動通信端末機１１０に適用してもよい。
【００５０】
データベースに登録されたセル識別子が確認され、第２位置で確認された識別子が第１位置で確認された識別子と異なるか、第２位置で識別子が確認されない場合、移動通信端末機１１０は、予め設定された時間後の第３位置で通信可能な無線アクセスポイントの識別子をさらに確認してもよい。このとき、移動通信端末機１１０は、段階４５０の代わりに、第３位置で通信可能な無線アクセスポイントの識別子が第１位置で確認された識別子と等しい場合、位置別ユーザ設定を移動通信端末機１１０に適用する段階（図示せず）をさらに実行してもよい。
【００５１】
以上の実施形態で説明したサービス提供方法またはサービス提供方法が含む段階は、移動通信端末機１１０にインストールされたアプリケーションの制御にしたがって移動通信端末機１１０によって実行されてもよい。また、上述したように、このようなアプリケーションは、ファイル配布システム１２０が提供するインストールファイル１３０によって移動通信端末機１１０にインストールされてもよい。
【００５２】
このように、本発明の実施形態によると、現在位置（一例として、自宅、学校、会社など）に応じて予め登録された設定に自動で移動通信端末機の設定を変更することができる。例えば、ユーザが、自宅ではチャットアプリケーションのアラームをサウンドモードに変更し、アラーム音を最大にし、ワイファイモジュールがオン状態になるように移動通信端末機を設定するとしよう。この場合、ユーザが移動通信端末機をもって自宅に入ると、移動通信端末機は現在の位置が自宅であることを自動で確認し、チャットアプリケーションのアラームをサウンドモードに変更し、アラーム音を最大にし、ワイファイモジュールをオン状態に変更することができる。他の例として、ユーザが、会社ではチャットアプリケーションアラームとアラームなどをマナーモードに変更し、音楽アプリケーションを実行させ、ワイファイモジュールがオン状態になるように移動通信端末機を設定するとしよう。この場合にも、ユーザが移動通信端末機をもって会社に入ると、移動通信端末機は現在の位置が会社であることを自動で確認し、チャットアプリケーションアラームとアラームなどをマナーモードに変更し、音楽アプリケーションを実行させ、ワイファイモジュールをオン状態に変更することができる。
【００５３】
上述した移動通信端末機やファイル配布システムは、ハードウェア構成要素、ソフトウェア構成要素、および／またはハードウェア構成要素およびソフトウェア構成要素の組み合わせによって実現されるコンピュータシステムであってもよい。例えば、実施形態で説明された移動通信端末機やファイル配布システムまたはその構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサ、または命令（ｉｎｓｔｒｕｃｔｉｏｎ）を実行して応答することができる異なる装置のように、１つ以上の汎用コンピュータシステムまたは特殊目的コンピュータシステムを利用して実現されてもよい。処理装置は、オペレーティングシステム（ＯＳ）およびＯＳ上で実行される１つ以上のソフトウェアアプリケーションを実行してもよい。また、処理装置は、ソフトウェアの実行に応答し、データをアクセス、保存、操作、処理、および生成してもよい。理解の便宜のために、処理装置は１つが使用されると説明される場合もあるが、該当する技術分野において通常の知識を有する者は、処理装置が複数の処理要素（ｐｒｏｃｅｓｓｉｎｇ  ｅｌｅｍｅｎｔ）および／または複数類型の処理要素を含んでもよいことを知ることができる。例えば、処理装置は、複数のプロセッサまたは１つのプロセッサおよび１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００５４】
図５は、本発明の一実施形態において、コンピュータシステムの内部構成の一例を説明するためのブロック図である。一例として、図１を参照しながら説明したファイル配布システム１２０および／またはユーザの移動通信端末機１１０が、本実施形態によるコンピュータシステム５００によって実現されてもよい。このようなコンピュータシステム５００は、少なくとも１つのプロセッサ（ｐｒｏｃｅｓｓｏｒ）５１０、メモリ（ｍｅｍｏｒｙ）５２０、周辺装置インタフェース（ｐｅｒｉｐｈｅｒａｌ  ｉｎｔｅｒｆａｃｅ）５３０、入／出力システム（Ｉ／Ｏ  ｓｙｓｔｅｍ）５４０、電力部５５０、および通信部５６０を少なくとも備えてもよい。
【００５５】
このような図５の実施形態は、コンピュータシステム５００の一例に過ぎず、コンピュータシステム５００は、図５に示されていない追加のコンポーネントをさらに備えたり、２つ以上のコンポーネントを結合させる構成または配置を有してもよい。例えば、移動通信端末機１１０のためのコンピュータシステムは、図５に示すコンポーネントの他にも、タッチスクリーンやセンサなどをさらに備えてもよく、通信部５６０にＲＦ通信のための回路が備えられてもよい。コンピュータシステム５００に備えられてもよいコンポーネントは、１つ以上の信号処理またはアプリケーションに特化された集積回路を含むハードウェア、ソフトウェア、またはハードウェアおよびソフトウェアの組み合わせによって実現されてもよい。
【００５６】
メモリ５２０は、一例として、高速ランダムアクセスメモリ（ｈｉｇｈ−ｓｐｅｅｄ  ｒａｎｄｏｍ  ａｃｃｅｓｓ  ｍｅｍｏｒｙ）、磁気ディスク、エスラム（ＳＲＡＭ）、ディーラム（ＤＲＡＭ）、ロム（ＲＯＭ）、フラッシュメモリ、または非揮発性メモリを含んでもよい。メモリ５２０は、コンピュータシステム５００の動作に必要なソフトウェアモジュール、命令語集合、またはその他の多様なデータを含んでもよい。このとき、プロセッサ５１０や周辺装置インタフェース５３０などの他のコンポーネントからメモリ５２０へのアクセスは、プロセッサ５１０によって制御されてもよい。
【００５７】
周辺装置インタフェース５３０は、コンピュータシステム５００の入力および／または出力周辺装置を、プロセッサ５１０およびメモリ５２０に結合させてもよい。プロセッサ５１０は、メモリ５２０に格納されたソフトウェアモジュールまたは命令語集合を実行し、コンピュータシステム５００のための多様な機能を実行してデータを処理してもよい。
【００５８】
入／出力システム５４０は、多様な入／出力周辺装置を周辺装置インタフェース５３０に結合させてもよい。例えば、入／出力システム５４０は、モニタやキーボード、マウス、プリンタ、または必要によってはタッチスクリーンやセンサなどの周辺装置を周辺装置インタフェース５３０に結合させるためのコントローラを含んでもよい。他の一実施形態によると、入／出力周辺装置は、入／出力システム５４０を経ずに周辺装置インタフェース５３０と結合してもよい。
【００５９】
電力部５５０は、端末機のコンポーネントの全部または一部に電力を供給してもよい。例えば、電力部５５０は、電力管理システム、バッテリや交流（ＡＣ）などのような１つ以上の電源、充電システム、電力失敗感知回路（ｐｏｗｅｒ  ｆａｉｌｕｒｅ  ｄｅｔｅｃｔｉｏｎ  ｃｉｒｃｕｉｔ）、電力変換器やインバータ、電力状態表示子、または電力生成、管理、分配のための任意の他のコンポーネントを含んでもよい。
【００６０】
通信部５６０は、少なくとも１つの外部ポートを利用して他のコンピュータシステムとの通信を可能にしてもよい。または、上述したように、必要によっては通信部５６０はＲＦ回路を含み、電磁気信号（ｅｌｅｃｔｒｏｍａｇｎｅｔｉｃ  ｓｉｇｎａｌ）とも知られたＲＦ信号を送受信することにより、他のコンピュータシステムと通信を可能にしてもよい。
【００６１】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、またはこれらうち１つ以上の組み合わせを含んでもよく、所望するとおりに動作するように処理装置を構成したり、独立的または結合的に（ｃｏｌｌｅｃｔｉｖｅｌｙ）処理装置を命令してもよい。ソフトウェアおよび／またはデータは、処理装置によって解釈されたり、処理装置に命令またはデータを提供するために、ある類型の機械、構成要素（ｃｏｍｐｏｎｅｎｔ）、物理的装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的にまたは一時的に具体化（ｅｍｂｏｄｙ）されてもよい。ソフトウェアはネットワークによって連結したコンピュータシステム上に分散され、分散した方法によって格納されたりして実行されてもよい。ソフトウェアおよびデータは、１つ以上のコンピュータで読み取り可能な記録媒体に格納されてもよい。
【００６２】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００６３】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００６４】
したがって、異なる実施形態であっても、特許請求の範囲と均等なものであれば、添付される特許請求の範囲に属する。
【符号の説明】
【００６５】
１１０：移動通信端末機
１２０：ファイル配布システム
１２１：インストールファイル管理部
１２２：インストールファイル送信部
１３０：インストールファイル
【図１】
2015156638.tif 000003
【図２】
2015156638.tif 000004
【図３】
2015156638.tif 000005
【図４】
2015156638.tif 000006
【図５】
2015156638.tif 000007